(57)【要約】【課題】着用者の股間部に容易に引上げられ、着用者へのフィット性の調整が行え、連結手段が確実に維持され、容易に装着できる使い捨ておむつを提供する。【解決手段】外装シート２０の前身頃の外内面の両側部に第１，２係合部４０，４１を設け、後身頃の内面の両側部に設けられた支持部材４５の内面に、支持部材４５を重ね合わせた場合に、相互に重なり合わない第３，４係合部４２，４３を設け、外装シート２０の連結時に、第１係合部４０と第４係合部４３とが係合し、第２係合部４１と第３係合部４２とが係合する構成によって解決する。【選択図】図１
2014237056.tif 000002
【特許請求の範囲】
【請求項１】
前身頃及び後身頃を有する外装シートと、外装シートの内面に固定された吸収体を含む内装体とを備え、外装シートの前身頃と後身頃とが係合かつ分離可能な連結手段により連結されることにより、ウエスト開口部及び左右一対のレッグ開口部が形成された使い捨ておむつにおいて、
前記連結手段は、第１係合部と、第２係合部と、支持部材と、第３係合部と、第４係合部とを有し、
前記第１係合部は、前身頃の外面の両側縁に沿って縦方向に設けられ、
前記第２係合部は、前身頃の内面の両側縁に沿って縦方向に設けられ、
前記支持部材は、後身頃の内面の両側縁に沿って外面が固着され、固着部より内側の第１支持部材と固着部より外側の第２支持部材とは、固着部を中心として内方に折り曲げられ、
前記第３係合部は、固着部より遠位部の第１支持部材の内面に縦方向に設けられ、
前記第４係合部は、固着部より近位部の第２支持部材の内面に縦方向に設けられ、
前記第３係合部と第４係合部とは、第１支持部材と第２支持部材とを内方に折り曲げた場合に、それぞれ対向しない位置に設けられ、
前記第１係合部と第４係合部とを係合し、第２係合部と第３係合部とを係合することにより前身頃と後身頃とが連結される、
ことを特徴とする使い捨ておむつ。
【請求項２】
前記第１支持部材の幅方向長さは、第２支持部材の幅方向長さに対して長く形成されている請求項１記載の使い捨ておむつ。
【請求項３】
前記第２支持部材の幅方向外側縁は、非直線形状に形成されている請求項１又は２記載の使い捨ておむつ。
【請求項４】
前記第１係合部と第４係合部とは同一色彩とされ、第２係合部と第３係合部とは第１係合部及び第４係合部と異なる同一色彩とされている請求項１〜３のいずれか１項に記載の使い捨ておむつ。
【請求項５】
複数個の前記第３，４係合部が縦方向に間隔をおいて設けられ、第４係合部の縦方向の長さに対する第３，４係合部の縦方向の重複長さ率が５０％以下に設けられている請求項１〜４のいずれか１項に記載の使い捨ておむつ。
【請求項６】
複数個の前記第３，４係合部が縦方向に間隔をおいて設けられ、第４係合部の縦方向の長さに対する第３，４係合部の縦方向の重複長さ率が０％に設けられている請求項１〜４のいずれか１項に記載の使い捨ておむつ。
【請求項７】
偶数個の前記第４係合部が縦方向に間隔をおいて設けられ、縦方向中心部に位置する前第４係合部と第４係合部との間に幅方向外側縁から着用者の腸骨に対応する位置まで延びるスリットが設けられている請求項１〜６のいずれか１項に記載の使い捨ておむつ。
【請求項８】
前記支持部材には伸縮性部材が配置され幅方向に伸張可能にされている請求項１〜７のいずれか１項に記載の使い捨ておむつ。
【請求項９】
前記第１，２係合部はループ材で形成され、前記第３，４係合部はフック材で形成されている請求項１〜８のいずれか１項に記載の使い捨ておむつ。
【発明の詳細な説明】
【技術分野】
【０００１】
本発明は、前身頃と後身頃とが係合かつ分離可能なパンツ型使い捨ておむつに関し、特に、足回りのフィット性を調整可能なパンツ型使い捨ておむつに関する。
【背景技術】
【０００２】
特許文献１には、前端部および後端部の両側部に固定手段を設け、一方の対角線に位置する固定手段にループ部材を設け、他方の対角線に位置する固定手段にフック部材を設けた使い捨ておむつが記載されている。
特許文献２には、後身体パネルの前身体パネル側にフック部材を取付け、フック部材を前身身体パネルの両側部内面に沿って係合し連結される使い捨ておむつが記載されている。
特許文献３には、後胴周り域の両側部内面にループ部材を取付け、前胴周り域の両側部内面にＺ字形に畳まれた支持部材を設け、支持部材の先端部内面にフック部材を取付け、ループ部材とフック部材とを係合し連結される使い捨ておむつが記載されている。
特許文献１〜３に記載された使い捨ておむつは、着用者がズボンを脱ぐことなく装着、交換を行えることから着用者、又は介護者の負担を軽減するものである。
【０００３】
しかし、着用者の股間部に使い捨ておむつを引上げる場合、あるいは着用者が着座した場合に両側部の係合部が外れる恐れがあった。
上述の問題を解決するため、特許文献４，５には、剪断係合強度の高いファスニング要素を用い使い捨ておむつの前後側縁部を互いに脱着可能に連結する係合部の外れを防止する手段が開示されている。
【先行技術文献】
【特許文献】
【０００４】
【特許文献１】特開２００７−５０４８８４号公報
【特許文献２】特表２００５−５３３５２９号公報
【特許文献３】特開２００８−１２１１５号公報
【特許文献４】特開２００９−１２５３９３号公報
【特許文献５】特開２００９−２７３７３２号公報
【発明の概要】
【発明が解決しようとする課題】
【０００５】
しかしながら、前後側縁部が連結剪断係合強度の高いファスニング要素で係合されたパンツ型使い捨ておむつ（以下、使い捨ておむつという。）の場合、着用者の股間部に使い捨ておむつを引上げるのが困難となるばかりでなく、着用者の太股が過度に圧迫される恐れがある。
【０００６】
一方、前後側縁部が連結剪断係合強度の低いファスニング要素で係合された使い捨ておむつ、あるいは、少しサイズが大きい使い捨ておむつの場合、着用者の股間部に使い捨ておむつを引上げるのは容易になるが、着用者の足回りのフィット性が十分確保できず尿、体液等の外部漏れが発生する恐れがあり、着用者の歩行、着座等にともなう太股からの力により後胴周り域と前胴周り域との係合が剥がれ連結手段が不用意に分離されるおそれがあり、特に、太股から前胴周り域に内面から外面方向に垂直力が作用した場合、後胴周り域と前胴周り域との係合が容易に剥がれ連結手段が分離される恐れも高い。
【０００７】
また、固定手段が同一形状に作製されているため、固定手段を剥がすのに時間がかかり装着作業が困難であった。
【０００８】
そこで、本発明の課題は、着用者の股間部に容易に引上げられ、着用者へのフィット性の調整が行え、連結手段が確実に維持され、且つ、容易に装着できる使い捨ておむつを提供することにある。
【課題を解決するための手段】
【０００９】
上記課題を解決した本発明は次記のとおりである。
＜請求項１記載の発明＞
前身頃及び後身頃を有する外装シートと、外装シートの内面に固定された吸収体を含む内装体とを備え、外装シートの前身頃と後身頃とが係合かつ分離可能な連結手段により連結されることにより、ウエスト開口部及び左右一対のレッグ開口部が形成された使い捨ておむつにおいて、
前記連結手段は、第１係合部と、第２係合部と、支持部材と、第３係合部と、第４係合部とを有し、
前記第１係合部は、前身頃の外面の両側縁に沿って縦方向に設けられ、
前記第２係合部は、前身頃の内面の両側縁に沿って縦方向に設けられ、
前記支持部材は、後身頃の内面の両側縁に沿って外面が固着され、固着部より内側の第１支持部材と固着部より外側の第２支持部材とは、固着部を中心として内方に折り曲げられ、
前記第３係合部は、固着部より遠位部の第１支持部材の内面に縦方向に設けられ、
前記第４係合部は、固着部より近位部の第２支持部材の内面に縦方向に設けられ、
前記第３係合部と第４係合部とは、第１支持部材と第２支持部材とを内方に折り曲げた場合に、それぞれ対向しない位置に設けられ、
前記第１係合部と第４係合部とを係合し、第２係合部と第３係合部とを係合することにより前身頃と後身頃とが連結される、
ことを特徴とする使い捨ておむつ。
【００１０】
（作用効果）
請求項１記載の発明によれば、支持部材の第１支持部材と第２支持部材とを固着部を中心に内方に折り曲げられることから、着用者の生活に伴う活動により内面から外面方向に垂直力が作用した場合にあっても、第１係合部と第４係合部、第２係合部と第３係合部のいずれか一方の係合部は係合状態を保つため、前身頃と後身頃の連結は確実に維持される。
【００１１】
固着部から離れた遠位部の第１支持部材の内面に第３係合部が設けられ、固着部の近傍の近位部の第２支持部材の内面に第４係合部が設けられていることから、使い捨ておつむの装着時に、第１支持部材が捲れることなく第２係合部の全域を覆うことができ、着用者の肌と第２係合部の擦れに起因する肌の外傷等を防止することができる。  
【００１２】
支持部材の第１支持部材と第２支持部材とを内方に折り曲げた場合に、第３係合部と第４係合部とが対向しない位置にそれぞれ設けられていることから、前身頃と後身頃の連結部が過度に硬くならず、着用者が使い捨ておむつを股間部に引上げた際に、着用者の太股と連結部とが擦れた場合であっても着用者の肌への外傷等を防止することができる。
【００１３】
＜請求項２記載の発明＞
前記第１支持部材の幅方向長さは、第２支持部材の幅方向長さに対して長く形成されている請求項１記載の使い捨ておむつ。
【００１４】
（作用効果）
請求項２記載の発明によれば、第１支持部材の幅方向長さが長く形成されていることから、使い捨ておむつの内側に位置する第２係合部に容易に係合させることができ、使い捨ておむつの内側に折り畳まれた第１支持部材及び第２係合部を容易に引き起すことができる。また、第２支持部材の幅方向長さが短く形成されていることから、着用者に装着された使い捨ておつむの外観に優れる。
【００１５】
＜請求項３記載の発明＞
前記第２支持部材の幅方向外側縁は、非直線形状に形成されている請求項１又は２記載の使い捨ておむつ。
【００１６】
（作用効果）
請求項３記載の発明によれば、第２支持部材の幅方向外側縁が非直線形状に形成されていることから、第１支持部材と第２支持部材とを容易に引き剥がすことができる。
【００１７】
＜請求項４記載の発明＞
前記第１係合部と第４係合部とは同一色彩とされ、第２係合部と第３係合部とは第１係合部及び第４係合部と異なる同一色彩とされている請求項１〜３のいずれか１項に記載の使い捨ておむつ。
【００１８】
（作用効果）
請求項４記載の発明によれば、第１係合部と第４係合部とに同一色彩を付し、第２係合部と第３係合部とに第１係合部と第４係合部との色彩とは異なる同一色彩を付したことから、着用者は色彩を目安にそれぞれの係合部を係合し、使い捨ておむつを容易に装着することができる。
【００１９】
＜請求項５記載の発明＞
複数個の前記第３，４係合部が縦方向に間隔をおいて設けられ、第４係合部の縦方向の長さに対する第３，４係合部の縦方向の重複長さ率が５０％以下に設けられている請求項１〜４のいずれか１項に記載の使い捨ておむつ。
【００２０】
（作用効果）
請求項５記載の発明によれば、複数個の第３，４係合部が縦方向に間隔をおいて設けられ、第４係合部の縦方向の長さに対する第３，４係合部の縦方向の重複長さ率が５０％以下に設けられていることから、特に、連結部は縦方向にも柔軟性を有するため、着用者が使い捨ておむつを股間部に引上げる際に、使い捨ておむつを容易に引上げることができ、着用者の太股と連結部とが擦れた場合であっても着用者の肌への外傷が防止できる。
【００２１】
＜請求項６記載の発明＞
複数個の前記第３，４係合部が縦方向に間隔をおいて設けられ、第４係合部の縦方向の長さに対する第３，４係合部の縦方向の重複長さ率が０％に設けられている請求項１〜４のいずれか１項に記載の使い捨ておむつ。
【００２２】
（作用効果）
請求項６記載の発明によれば、複数個の第３，４係合部が縦方向に間隔をおいて設けられ、第４係合部の縦方向の長さに対する第３，４係合部の縦方向の重複長さ率が０％に設けられていることから、連結部は、幅方向及び縦方向にも柔軟性を有するため、着用者が使い捨ておむつを股間部に引上げる際に、着用者の太股と連結部とが擦れた場合であっても着用者の肌への外傷が防止でき、使い捨ておむつをウエスト部回り、足回りにフィットさせ装着することができる。
【００２３】
＜請求項７記載の発明＞
偶数個の前記第４係合部が縦方向に間隔をおいて設けられ、縦方向中心部に位置する前第４係合部と第４係合部との間に幅方向外側縁から着用者の腸骨に対応する位置まで延びるスリットが設けられている請求項１〜６のいずれか１項に記載の使い捨ておむつ。
【００２４】
（作用効果）
請求項７記載の発明によれば、偶数個の第４係合部が縦方向に間隔をおいて設けられ、縦方向中心部に位置する第４係合部と第４係合部との間に幅方向外側縁から着用者の腸骨に対応する位置まで延びるスリットが設けられていることから、概して凹部になっている着用者の腸骨を避け腸骨の上下部で第１係合部と第４係合部をそれぞれ係合できるため、ウエスト部回り及び足回りのフィット性が向上し、細身の着用者であってもフィット性に優れる。
【００２５】
＜請求項８記載の発明＞
前記支持部材には伸縮性部材が配置され幅方向に伸張可能にされている請求項１〜７のいずれか１項に記載の使い捨ておむつ。
【００２６】
（作用効果）
請求項８記載の発明によれば、支持部材には伸縮性部材が配置され幅方向に伸張可能にされていることから、着用者は体の前面で身体にフィットするように係合位置を調整することができ、外装シートの前後身頃の幅を短くすることができ経済的にも有利である。
【００２７】
＜請求項９記載の発明＞
前記第１，２係合部はループ材で形成され、前記第３，４係合部はフック材で形成されている請求項１〜８のいずれか１項に記載の使い捨ておむつ。
【００２８】
（作用効果）
請求項９記載の発明によれば、第１，２係合部はループ材で形成され、第３，４係合部はフック材で形成されていることから、使い捨ておむつの着用時に、着用者の肌に第２係合部が接触しても着用者の肌に外傷を与える恐れがない。
【発明の効果】
【００２９】
以上のとおり、本発明によれば、着用者の股間部に容易に引上げられ、着用者へのフィット性の調整が行え、連結手段が確実に維持され、容易に装着できる使い捨ておむつが提供できる。
【図面の簡単な説明】
【００３０】
【図１】展開状態の使い捨ておむつの内面平面図である。
【図２】展開状態の使い捨ておむつの外面平面図である。
【図３】図１のＡ−Ａ断面図である。
【図４】図１のＢ−Ｂ断面図である。
【図５】図１のＣ−Ｃ断面図である。
【図６】図１のＤ−Ｄ断面図である。
【図７】第１実施形態の支持部材の拡大図である。
【図８】第１実施形態の支持部材を固着部で内方に重ね合わせた図である。
【図９】第２実施形態の支持部材の拡大図である。
【図１０】第２実施形態の支持部材を固着部で内方に重ね合わせた図である。
【図１１】第３実施形態の支持部材の拡大図である。
【図１２】第３実施形態の支持部材を固着部で内方に重ね合わせた図である。
【図１３】第４実施形態の支持部材の拡大図である。
【図１４】第４実施形態の支持部材を固着部で内方に重ね合わせた図である。
【図１５】第５実施形態の支持部材の拡大図である。
【図１６】第５実施形態の支持部材を固着部で内方に重ね合わせた図である。
【図１７】第６実施形態の支持部材の拡大図である。
【図１８】第６実施形態の支持部材を固着部で内方に重ね合わせた図である。
【図１９】第７実施形態の支持部材の拡大図である。
【図２０】第７実施形態の支持部材を固着部で内方に重ね合わせた図である。
【図２１】第１実施形態の使い捨ておむつの前身頃側の斜視図である。
【図２２】第１実施形態の使い捨ておむつの後身頃側の斜視図である。
【図２３】第１実施形態の使い捨ておむつの装着状態の斜視図である。
【発明を実施するための形態】
【００３１】
本発明の実施形態について、添付図面を参照しつつ説明する。なお、実施形態は、使い捨ておむつとして大人用使い捨ておむつを例示してあるが大人用使い捨ておむつに限定されるものではなく、幼児用使い捨ておむつにも適用できるものである。
【００３２】
以下の説明において、「内面」とは使い捨ておむつの装着面側をいい、「外面」とは使い捨ておむつの装着面側とは反対側面をいうものとし、「上側部」とはウエスト開口部側の部位をいい、「下側部」とはレッグ開口部側の部位の部位をいうものとし、「重複長さ率（％）」とは図１３に示すように、第４係合部の長さをＬ２、第３係合部と第４係合部とが重複する長さＬ１とした場合に、式１＝２×Ｌ１／Ｌ２×１００で算出される値である。
【００３３】
（第１実施形態）
図１〜図８に示すように、本発明の第１実施形態の使い捨ておむつ１は、前身頃Ｆ及び後身頃Ｂを有する外装シート２０と外装シート２０の内面に固定され一体化された内装体１０とを有しており、内装体１０は、液透過性表面シート１１と液不透過性裏面側シート１２との間に吸収体１３が介在されてなるものである。製造に際しては、外装シート２０の内面（上面）に対して内装体１０の外面（裏面）がホットメルト接着剤Ｇなどの接合手段によって固定された後に、外装シート２０および内装体１０が前身頃Ｆ及び後身頃Ｂの境界である縦方向（前後方向）中央で折り畳まれ、その両側部が相互に係合かつ分離可能な連結手段によって連結されることによって、ウエスト開口部及び左右一対のレッグ開口部が形成された使い捨ておむつ１となる。
【００３４】
使い捨ておむつ１は、前身頃Ｆの外面の両側部に両側縁に沿って縦方向に延びるループ部材からなる第１係合部４０が取付けられ、前身頃Ｆの内面の両側部に両側縁に沿って縦方向延びるループ部材からなる第２係合部４１が取付けられている。
【００３５】
後身頃Ｂの両側部には、支持部材４５の外面に縦方向に延びる固着部４６が後身頃Ｂの内面の両側部に沿って縦方向に固定されている。
【００３６】
支持部材４５の固着部４６より幅方向内側に位置する第１支持部材４５ａの外面及び支持部材４５の固着部４６より幅方向外側に位置する第２支持部材４５ｂの外面は後身頃Ｂに非固定されており、固着部４６を中心として第１支持部材４５ａと第２支持部材４５ｂとをそれぞれの内面が対向するように内方に重ね合わせることができる。
【００３７】
支持部材４５の第１支持部材４５ａの内面には、固着部４６より離れた第１支持部材４５ａの遠位部に縦方向に延びるフック部材からなる第３係合部４２が設けられ、支持部材４５の第２支持部材４５ｂの内面には、固着部４６の近傍の第２支持部材４５ｂの近位部に縦方向に延びるフック部材からなる第４係合部４３が設けられている。
なお、第１実施形態とは異なり、第１，２係合部４０，４１にフック部材を、第３，４係合部４２，４３にループ部材を取付けることもできる。
【００３８】
着用者に使い捨ておむつ１を装着させる場合、図２１〜図２３に示すように、後身頃Ｂの支持部材４５の内面に設けられた第４係合部４３を前身頃Ｆの外面に設けられた第１係合部４０のさらに外面から係合し、後身頃Ｂの支持部材４５の内面に設けられた第３係合部４２を前身頃Ｆの内面に設けられた第２係合部４１のさらに内面から係合することにより前身頃Ｆと後身頃Ｂとを連結し使い捨ておむつ１とする。
【００３９】
（外装シート）
図１〜図６に示すように、外装シート２０は、上層不織布２０Ａと下層不織布２０Ｂからなる２層構造の不織布シートとされている。上層不織布２０Ａと下層不織布２０Ｂとの間及び下層不織布２０Ｂをウエスト開口縁で内面側に折り返してなる折り返し部分２０Ｃの不織布の間には各種弾性部材がそれぞれ配置され伸縮性が付与されている。平面形状は、中間両側部に夫々脚部開口を形成するために形成された凹状の脚回りライン２９により、全体として擬似砂時計形状をなしている。
【００４０】
図１、図２に示すように、外装シート２０の弾性部は、ウエスト開口部近傍２３に配置されたウエスト部弾性部材２４，２４・と、前身頃Ｆ及び後身頃Ｂに、縦方向に間隔をおいて幅方向に沿って配置された複数の腰回り弾性部材２５，２５・とを有するとともに、前身頃Ｆ及び後身頃Ｂのそれぞれにおいて、腰回り弾性部材群２５，２５・とは別に、前身頃Ｆと後身頃Ｂとを連結する連結側部２１、２２から幅方向中央に向かうにつれて反対の身頃側へ向かうように湾曲しつつ、内装体１０の両側部と重なる部位まで（又は両側部の近傍まで等、必ずしも重ならなくても良い）延在するとともに、互いに交差することなく間隔をおいて配置された複数本の湾曲弾性部材２６・、２８・を備えている。なお、本外装シート２０では、脚回りライン２９に沿って実質的に連続する、所謂脚回り弾性部材は設けられていない。
【００４１】
ウエスト部弾性部材２４，２４・は、前身頃Ｆと後身頃Ｂとが連結された連結側部２１、２２の範囲の内、ウエスト開口縁近傍に上下方向に間隔をおいて配設された複数条の糸ゴム状弾性部材であり、身体のウエスト部回りを締め付けるように伸縮力を与えることにより使い捨ておむつを身体に装着するためのものである。このウエスト部弾性部材２４は、図示例では糸ゴムを用いたが、例えばテープ状の伸縮部材を用いてもよい。また、図示形態のウエスト部弾性部材２４，２４・は、ウエスト部における下層不織布２０Ｂの折り返し部分２０Ｃの不織布間に挟持されているが、上層不織布２０Ａと下層不織布２０Ｂとの間に挟持しても良い。
【００４２】
腰回り弾性部材２５，２５・は、連結側部２１、２２の内、概ね上部から下部までの範囲に亘り、上下方向に間隔をおいて幅方向に沿って配設された糸ゴム状の弾性部材であり、前身頃Ｆ及び後身頃Ｂの腰回り部分に夫々幅方向の伸縮力を与え、使い捨ておむつを身体に密着させるためのものである。なお、ウエスト部弾性部材２４、２４・と腰回り弾性部材２５、２５・との境界は必ずしも明確でなくてよい。例えば、前身頃Ｆ及び後身頃Ｂに上下方向に間隔をおいて幅方向に配置された弾性部材の内、数は特定できなくても、上部側の何本かがウエスト部弾性部材として機能し、残りの弾性部材が腰回り弾性部材として機能していればよい。
【００４３】
後身頃Ｂにおいて、腰回り弾性部材２５，２５・とは別に配設された背側湾曲弾性部材２６、２６・は、その長手方向中間に縦方向との鋭角側交差角θ（以下、縦方向交差角ともいう）が最小となる最小点を有するとともに、この最小点から幅方向両側に向かうにつれて縦方向交差角θが０度〜９０度の範囲内で増加する所定の曲線であって、且つ使い捨ておむつを展開した状態で内装体の両側部と重なる領域内に縦方向交差角θが６０・以下となる交差部分７１を有する所定の曲線に沿って配置されているものである。背側湾曲弾性部材２６は、一本であっても良いが複数本であるのが好ましく、図示例では５本の糸ゴム状弾性部材であり、これら背側湾曲弾性部材２６、２６・は互いに交差することなく、間隔をおいて配置されている。この背側湾曲弾性部材群２６、２６・は、２，３本程度の弾性伸縮部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００４４】
外装シート２０の前身頃Ｆにおいて、腰回り弾性部材群２５，２５・とは別に配設された腹側湾曲弾性部材２８，２８・も、その長手方向中間に縦方向との縦方向交差角θが最小となる最小点を有するとともに、この最小点から幅方向両側に向かうにつれて縦方向交差角θが０度〜９０度の範囲内で増加する所定の曲線であって、且つ使い捨ておむつを展開した状態で内装体の両側部と重なる領域内に縦方向交差角θが６０・以下となる交差部分７０を有する所定の曲線に沿って配置されている。腹側湾曲弾性部材２８は、一本であっても良いが複数本であるのが好ましく、図示例では５本の糸状弾性部材であり、これら腹側湾曲弾性部材２８，２８・は、互いに交差することなく、間隔をおいて配置されている。この腹側湾曲弾性部材群２８、２８・も、２，３本程度の弾性伸縮部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００４５】
なお、図示例では、前身頃Ｆ及び後身頃Ｂに配置された腰回り弾性部材２５，２５・及び湾曲弾性部材２６・、２８・は、内装体１０を横切る部分には設けられておらず、当該部分が非伸縮領域とされている。このように、弾性部材を有しない又は設けられていない形態には、弾性部材が存在しない形態の他、弾性部材は存在するが収縮力が作用しない程度に細かく切断させている形態も含まれる。例えば、後者の例としては、腰回り弾性部材２５，２５・及び湾曲弾性部材２６・、２８・を、一方側の連結側部２１，２２から内装体１０を横切って他方（反対）側の連結側部２２まで連続的に設けた後に、内装体１０を横切る部分の一部又は全部を切断し、不連続とする一般的な形態が含まれる。弾性部材を内装体１０と重なる部分で不連続とすることにより、内装体（特に吸収体１３）の幅方向の縮こまりをより防止することができる。もちろん、腰回り弾性部材２５，２５・及び湾曲弾性部材２６・、２８・を、内装体１０を横切って連続的に配置することもできる。
【００４６】
上述した外装シート２０は、例えば特開平４−２８３６３号公報や、特開平１１−３３２９１３号公報記載の技術により製造することができる。また、湾曲弾性部材２６・、２８・を内装体１０上で切断し不連続化するには、特開２００２−３５０２９号公報、特開２００２−１７８４２８号公報及び特開２００２−２７３８０８号公報に記載される切断方法が好適に採用される。
【００４７】
図示例とは異なり、湾曲弾性部材２６・、２８・を、前身頃Ｆ及び後身頃Ｂのいずれか一方にのみ設けるだけでも良い。また、湾曲弾性部材２６・、２８・を、前身頃Ｆ及び後身頃Ｂの両方に設ける場合、前身頃Ｆ側に配置された湾曲弾性部材２８・の群の一部又は全部と、後身頃Ｂ側に配置された湾曲弾性部材２６・の群の一部又は全部とが交差する形態（図示せず）も採用できるが、図示例のように、前身頃Ｆ側に配置された湾曲弾性部材２８・の群と、後身頃Ｂ側に配置された湾曲弾性部材２６・の群とは互いに交差することなく前後方向中間部、特に前身頃Ｆに若干偏った位置で縦方向に離間している形態が好適であり、その縦方向離間範囲９０における最小縦方向離間距離は１０〜１５ｍｍ程度とし、この部分に後述する広幅の固定領域を設けるのが好ましい。
【００４８】
さらに、湾曲弾性部材２６・、２８・は図示例のようにその全体が湾曲していなくても良く、部分的に直線状の部分を有していても良い。
【００４９】
（連結手段）
図１、図２、図５に示すように、外装シート２０の前身頃Ｆの両側部の連結側部２１には、前身頃Ｆの外面に両側縁に沿って縦方向に延びる第１係合部４０が取付けられ、前身頃Ｆの内面に両側縁に沿って縦方向に延びる第２係合部４１が取付けられている。
【００５０】
第１係合部４０、第２係合部４１には、ループ部材、フック部材を用いることができるが、第２係合部４１は、着用者の肌側に接触する前身頃Ｆの内面に取付けられることから、着用者の肌に外傷を与えることを防止する観点から、第１係合部４０、第２係合部４１には、ループ部材を用いるのが好適である。
また、外装シート２０の上層不織布２０Ａと第２係合部４１、外装シート２０の下層不織布２０Ｂと第１係合部４０との剥がれを防止するため、第１係合部４０、第２係合部４１が取付けられる外装シート２０の連結側部２１には、ウエスト部弾性部材２４，２４・、腰回り弾性部材２５、２５・、腹側湾曲弾性部材２８，２８・を配設しないのが好適である。
なお、第１係合部４０、第２係合部４１は、公知の接着剤、サーマルまたはウルトラソニックボンドにより外装シート２０の上層不織布２０Ａ、下層不織布２０Ｂにそれぞれ固着されている。
【００５１】
図１、図２、図６に示すように、外装シート２０の後身頃Ｂの両側部の連結側部２２には、外装シート２０の上層不織布２０Ａに幅方向に延出する支持部材４５が設けられている。
【００５２】
使い捨ておむつ１のサイズにより異なるが、通常の大人用の使い捨ておむつ１の場合、支持部材４５は、幅５５〜１１０ｍｍ、縦１７０〜３３０ｍｍの矩形状であり、所要の係合強度を有するため、固着部４６は、幅２〜５ｍｍ、縦１７０〜３３０ｍｍの矩形状である。
第１実施形態においては、支持部材４５は、幅８０ｍｍ、縦１８０ｍｍの矩形状であり、支持部材４５の幅方向内側縁から４５ｍｍの位置に設けられた幅２ｍｍ、縦１８０ｍｍの矩形状の固着部４６により、支持部材４５外面が外装シート２０の上層不織布２０Ａの内面にヒートシールにより取付けられている。
第１支持部材４５ａは、幅４５ｍｍ、縦１８０ｍｍの矩形状に、第２支持部材４５ｂは、幅３５ｍｍ、縦１８０の矩形状であり、第１支持部材４５ａの幅が第２支持部材４５ｂより１０ｍｍ長く形成されている。
【００５３】
支持部材４５は、固着部４６より幅方向内側に位置する第１支持部材４５ａの外面及び固着部４６より幅方向外側に位置する第２支持部材４５ｂの外面は、外装シート２０の上層不織布２０Ａに固着されておらず、第１支持部材４５ａ及び第２支持部材４５ｂは、固着部４６を中心として第１支持部材４５ａの内面及び第２支持部材４５ｂの内面が対向するように内方に折り曲げることができる。
【００５４】
支持部材４５としては、不織布、織布、網布等の種々の材料を用いることができるが、着用者の足回りに使い捨ておむつ１をフィットして装着させるため、幅方向に伸縮する伸縮性不織布を用いるのが好適であり、伸縮性不織布としては、不織布の間に弾性部材を配置した形態、不織布の間に伸縮フィルムを配置した形態がある。
【００５５】
支持部材４５の全体を伸縮性不織布とすることもできるが、第１支持部材４５ａの第３係合部４２の幅方向内側縁と支持部材４５の固着部４６との間及び第２支持部材４５ｂの第４係合部４３の幅方向内側縁と支持部材４５の固着部４６との間に伸縮性不織布を配置するのが好適である。
特に、第２支持部材４５ｂの第４係合部４３の幅方向内側縁と支持部材４５の固着部４６との間に伸縮性不織布を配置した場合、着用者が使い捨ておむつ１を股間部に引上げた後、第１係合部４０と第４係合部４３との係合位置を容易に調整でき、ウエスト部回り及び足回りに使い捨ておむつ１を容易にフィットさせることができる。
また、伸縮性不織布は太股による垂直力を対する抗力として作用し、垂直力を分散し、外装シート２０の前身頃Ｆと後身頃Ｂとの剥がれを防止することもできる。
【００５６】
図７に示すように、第１支持部材４５ａの内面には、固着部４６より離れた第１支持部材４５ａの遠位部に幅方向外側縁に沿って縦方向に延びる第３係合部４２が取付けられ、第２支持部材４５ｂの内面には、固着部４６の近傍の第２支持部材４５ｂのの近位部に固着部４６に沿って縦方向に延びる第４係合部４３が取付けられている。
【００５７】
第３係合部４２、第４係合部４３には、ループ部材、フック部材を用いることができるが、前述したとおり、着用者の肌に外傷を与えることを防止する観点から、第１係合部４０、第２係合部４１にはループ部材を用いるのが好ましいため、第３係合部４２、第４係合部４３には、フック部材を用いるのが好適である。
また、第３係合部４２、第４係合部４３は、公知の接着剤、サーマルまたはウルトラソニックボンドにより支持部材４５の内外面に固着されている。
【００５８】
図８に示すように、固着部４６を中心として第２支持部材４５ｂを第１支持部材４５ａの上に折り重ねた場合、第１支持部材４５ａの内面の第３係合部４２と第２支持部材４５ｂの内面の第４係合部４３とは相互に重ならない位置に取付けられており、また、第２支持部材４５ｂにより第１支持部材４５ａの第３係合部４２は覆われている。
【００５９】
第３係合部４２と第４係合部４３とが相互に重ならない位置に取付けられていることから、外装シート２０の前身頃Ｆと後身頃Ｂを連結させた場合、前身頃Ｆの両側部の幅方向外側位置にあっては、外面側から内面に向かい第４係合部４３、第１係合部４０、第２係合部４１が重なり合い、前身頃Ｆの両側部の幅方向内側位置にあっては、外面側から内面に向かい第１係合部４０、第２係合部４１、第３係合部４２が重なり合い、外装シート２０の前後身頃Ｆ、Ｂの連結部２１，２２は過度に硬くならず、幅方向に自由に湾曲可能な柔軟性を有する。そのため、着用者が使い捨ておむつ１を股間部に引上げる際に、着用者の太股に連結部２１，２２が擦れた場合であっても着用者の肌に外傷が加わることはない。      
【００６０】
また、第２支持部材４５ｂにより第１支持部材４５ａの第３係合部４２は覆われていることから、使い捨ておむつ１の装着前に、第３係合部４２が外装シート２０の上層不織布２０Ａ、後述する吸収体１３の液透過性表面シート１１等に係合することがなく、第３係合部４２の係合による上層不織布２０Ａ、液透過性表面シート１１等の損傷を抑制することができる。また、着用者に使い捨ておむつ１を装着する際に、支持部材４５を容易に引き出すことができ装着性が高まる。
【００６１】
使い捨ておむつ１のサイズにより異なるが、通常の大人用の使い捨ておむつ１の場合、所要の係合強度を有するため、第１係合部４０は、幅１５〜４０ｍｍ、縦１７０〜３３０ｍｍの矩形状であり、第２係合部４１は、幅２５〜６０ｍｍ、縦１７０〜３３０ｍｍの矩形状であり、第３係合部４２は、幅１０〜２０ｍｍ、縦１５０〜３１０ｍｍの矩形状であり、第４係合部４３は、幅１０〜２０ｍｍ、縦１５０〜３１０ｍｍの矩形状である。
着用者の内面側に位置する第２係合部４１の幅を広げ、第１支持部材４５ａの第３係合部の係合位置を調整できるように、特に、第２係合部４１の幅寸法を第１係合部４０の幅寸法に対し大きくすることが好ましい。
第１実施形態においては、第１係合部４０は、幅２０ｍｍ、縦１７０ｍｍの矩形状であり、第２係合部４１は、幅４０ｍｍ、縦１７０ｍｍの矩形状であり、第３係合部４２は、幅１５ｍｍ、縦１６０ｍｍの矩形状であり、第４係合部４３は、幅１５ｍｍ、縦１６０ｍｍの矩形状であり、使い捨ておむつ１を容易に装着するために、第１係合部４０と第４係合部４３とは同一色である青色に着色され、第２係合部４１と第３係合部４２とは同一色であるピンク色に着色されている。
【００６２】
係合強度とは、使い捨ておむつ１の片側の第１係合部４０と第４係合部４３及び第２係合部４１と第３係合部４２とを係合した状態において、係合されていない使い捨ておむつ１の片側を幅方向に引張り、使い捨ておむつ１の他片側の第１係合部４０と第４係合部４３及び第２係合部４１と第３係合部４２とを係合する際に、使い捨ておむつ１の片側の第１係合部４０と第４係合部４３及び第２係合部４１と第３係合部４２との係合面に作用するせん断力に対する強さをいうものとする。
【００６３】
使い捨ておむつ１のサイズにより異なるが、通常の大人用の使い捨ておむつ１の場合、第１係合部４０と第４係合部４３とのせん断応力は５Ｎ／ｃｍ2以上であり、係合強度は６０Ｎ以上であるのが好適である。
係合強度が６０Ｎ以下の場合には、着用者の歩行、着座等にともなう太股からの力により第１係合部４０と第４係合部４３との係合が外れる恐れがあるからである。
【００６４】
同様に、第２係合部４１と第３係合部４２とのせん断応力は３．５Ｎ／ｃｍ2以上であり、係合強度は４８Ｎ以上であるのが好適である。
係合強度が４８Ｎ以下の場合には、着用者の歩行、着座等にともなうウエスト部からの力により第２係合部４１と第３係合部４２との係合が外れる恐れがあるからである。
【００６５】
使い捨ておむつ１では、第１係合部４０、第２係合部４１には同一のループ部材を用い、第３係合部４２、第４係合部４３には同一のフック部材を用いているが、それぞれ異なるループ部材、フック部材を用いることもできる。
【００６６】
使い捨ておむつ１では、第１係合部４０、第２係合部４１には、ループ部材を用いているが、係合強度が十分確保できる場合にあっては、第１係合部４０、第２係合部４１にループ部材を取付けることなく、直接、第３係合部４２を外装シート２０の上層不織布２０Ａに、第４係合部４３を外装シート２０の下層不織布２０Ｂに係合させることもできる。
【００６７】
図２１〜図２３に示すように、着用者が使い捨ておむつ１を装着する場合、第１係合部４０と第４係合部４３及び第２係合部４１と第３係合部４２とを係合し、外装シート２０の前身頃Ｆと後身頃Ｂとが連結した状態で、使い捨ておむつ１を股間部に引上げた後、第１係合部４０と第４係合部４３との係合位置を調整し足回りにフィットさせる。また、ウエスト部が過度に圧迫されたり、ウエスト部のフィット性が過度に緩い場合には、第２係合部４１と第３係合部４２との係合位置を調整しウエスト回りにフィットさせる。
【００６８】
使い捨ておむつ１は、着用者の前方で第１係合部４０と第４係合部４３との係合位置を調整でき、第４係合部４３が第１係合部４０の外面から係合することができるため、着用者や介護者が容易にフィット性を調整でき、着用者の歩行、着座等にともなう太股からの力が、使い捨ておむつ１の内側から外側に向かって作用した場合にあっても、第１係合部４０と第４係合部４３との係合による連結を維持することができる。
また、外形シート２０の前身頃Ｆまたは後身頃Ｂの側縁に着用者の手が触れたり、着衣がこすれた場合にあっても、第１係合部４０と第４係合部４３又は第２係合部４１と第３係合部４２のいずれか一方の連結は確実に維持することができる。
【００６９】
（外装シート２０の柔軟化に関する構成）
特徴的には、腰回り弾性部材２５・を有する縦方向範囲３３と湾曲弾性部材２６・、２８・を有する縦方向範囲３１とが一部（又は全部でも良い）重複しており、且つこの重複範囲３０内に腰回り弾性部材２５・が複数本（例えば５〜１０本程度）含まれるとともに、そのうちの少なくとも一部の腰回り弾性部材２５・の相互間隔ｄ１が他の腰回り弾性部材２５・の相互間隔ｄ２よりも広くなっている。また、重複範囲３０外においても、湾曲弾性部材２６・、２８・を有する縦方向範囲３１とウエスト部弾性部材２４を有する縦方向範囲との間の中間範囲３２に、腰回り弾性部材２５・が複数本（例えば１０〜１６本程度）設けられている。
【００７０】
このように、腰回り弾性部材２５・を有する縦方向範囲３３と湾曲弾性部材２６・、２８・を有する縦方向範囲３１との重複範囲３０をある程度許容しつつ、その範囲内に腰回り弾性部材２５・の相互間隔の広い部分を設けることによって、フィット性を損ねずに、弾性部材の密集を抑制することができる。その結果、上記重複範囲３０において外装シート２０にプリーツが密集せず、厚みの不必要な増加、弾性部材自体及びその接着による硬質化が抑制され、もって柔軟で快適な装着感が得られるようになる。
【００７１】
通常の場合、上述の腰回り弾性部材２５・の相互間隔ｄ１は１５〜５０ｍｍ程度、他の腰回り弾性部材２５・の相互間隔ｄ２は１０〜２０ｍｍ程度とするのが好ましい。また、重複範囲３０の縦方向長さは展開状態での使い捨ておむつの全長の１５〜３０％程度であるのが好ましく、重複範囲３０に占める腰回り弾性部材２５・の相互間隔ｄ１の広い間隔部分３５の割合は縦方向長さの比（すなわち、間隔ｄ１の総和／重複範囲３０の縦方向長さ）で６０〜１００％程度であるのが好ましい。上記重複範囲３０が狭すぎると、腰回り弾性部材２５・の間隔を広げる意義が薄くなり、広過ぎると腰回り弾性部材２５・の間隔の広い部分３５が増加することによりフィット性が低下する。また、上記重複範囲３０内に占める腰回り弾性部材２５・の相互間隔ｄ１の広い部分３５の割合が少な過ぎると柔軟性の向上は見込めるものの顕著な向上は困難となる。
【００７２】
具体的に、図示例の場合、重複範囲３０に占める腰回り弾性部材２５・の相互間隔ｄ１の広い部分３５の割合は、前身頃Ｆでは４０％程度、後身頃Ｂでは１００％となっている。このように、柔軟性向上に関する構成は、前身頃Ｆと後身頃Ｂとで異ならしめることができ、外装シート２０における前身頃Ｆ及び後身頃Ｂのいずれか一方にのみ適用することも可能である（以下同じ）。
【００７３】
（内装体の構造例）
図１〜図６に示すように、内装体１０は、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００７４】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００７５】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００７６】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００７７】
内装体１０の両側部には脚周りにフィットする立体ギャザーＢＳが形成されているのが好ましい。この立体ギャザーＢＳはギャザー不織布１５により形成される、ギャザー不織布としては、図４〜図６に示すように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、使い捨ておむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００７８】
二重シート不織布によって形成されたギャザー不織布１５の内部には、起立先端側部分に複数本の糸状弾性伸縮部材１６、１６・が配設されている。糸状弾性伸縮部材１６、１６・は、製品状態において図４に二点鎖線で示すように、弾性伸縮力により吸収体側縁部より突出する不織布部分を起立させて立体ギャザーＢＳを形成するためのものである。
【００７９】
液不透過性裏面側シート１２は、二重シート状のギャザー不織布１５の内部まで進入し、図４に示すように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００８０】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、伸長率は１５０〜３５０％、間隔は７．０ｍｍ以下として配設するのがよい。なお、伸張率は伸張時の長さ／自然長×１００で算出した値であり、糸状弾性伸縮部材に代えて、ある程度の幅を有するテープ状弾性伸縮部材を用いるようにしてもよい。
【００８１】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００８２】
（前後押えシート）
図１、図３に示すように、外装シート２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００８３】
図示形態のように、前後押えシート５０，６０を別体として取り付けると、素材選択の自由度が高くなる利点があるものの、資材や製造工程が増加する等のデメリットもある。そのため、外装シート２０を使い捨ておむつ１内面に折り返してなる折り返し部分２０Ｃを、吸収パッド２００と重なる部分まで延在させて、前述の押えシート５０，６０と同等の部分を形成することもできる。
【００８４】
（外装シートを構成する不織布ついて）
外装シート２０を構成する不織布のうち、少なくとも最も外側に位置する不織布２０Ｂとして、捻れ度が３．８ｇｆ・ｃｍ／ｃｍ以下のものが好適である。外装シート２０を構成する不織布全て、つまり最も外側に位置しない他の不織布２０Ａ、５０，６０についても最外側不織布２０Ｂと同様の不織布を採用するのが望ましい（以下同じ。）。このように、捻れ度が十分に低い不織布を用いると、使い捨ておむつ全体としてのしなやかさが顕著に増加し、その結果、ゴワゴワした装着感や、肌との擦れによりかゆみやかぶれ等の肌トラブルが軽減し、脱ぎ着し易くなる等の利点がもたらされる。捻れ度が十分に低くないとしなやかさの改善効果は発現しない。このような捻れ度は、例えば原料繊維の種類の選択、繊度を細くする、繊維長を短くする、目付けや厚みを減らす等により達成することができる。
【００８５】
また、最外側不織布２０Ｂにおける平均表面摩擦係数と平均偏差との比ＭＩＵ／ＭＭＤが２０以上であるのが好ましく、特に２５以上であるのがより好ましい。ＭＩＵ／ＭＭＤ比を十分に大きくすることにより、外装シート表面の触感が良好となることにより、しなやかさが補われ、例えば肌との擦れによりかゆみやかぶれ等の肌トラブルがより一層軽減されるようになる。このようなＭＩＵ／ＭＭＤ比は、例えば、繊度を細くする、表面加工を施す等により達成することができる。
【００８６】
また、外装シート２０としての基本機能（隠蔽機能、強度等）を損ねないよう、最外側不織布２０Ｂは、目付けが１０〜３０ｇ／ｍ2であり、且つ圧力０．５ｇ／ｃｍ2のときの厚みＴ０が０．１〜１．０ｍｍであるのが好ましい。より好ましい目付けは１３〜２２ｇ／ｍ2、厚みＴ０は０．１〜０．５ｍｍである。
【００８７】
さらにしなやかさを補うため、最外側不織布２０ＢのＪＩＳ−Ｌ−１０９６（４５度カンチレバー法）による剛軟度は４５ｍｍ以下であるのが好ましく、３５ｍｍ以下であるのがより好ましい。これにより、特にゴワゴワ感の軽減及び脱ぎ着のし易さがより一層好ましいものとなる。このような剛軟度は、例えば、原料繊維の種類の選択や割合の変更、エンボス圧を下げる、目付や厚みを減らす等により達成することができる。
【００８８】
しなやかさを向上させると強度が低下し易いため、最外側不織布２０Ｂは、ＪＩＳ−Ｐ−８１１３に規定される引張強度が幅方向において４０〜１２０ｋｇｆ／ｍ、特に６０〜１００ｋｇｆ／ｍ、前後方向において１０〜８０ｋｇｆ／ｍ、特に２５〜６０ｋｇｆ／ｍであり、ＪＩＳ−Ｐ−８１１６に規定される引裂強度が前後方向において４〜３０ｋｇｆ／ｍ、特に８〜２５ｋｇｆ／ｍであるのが好ましい。このような引張強度及び引裂強度は、例えば、繊維同士の絡まり度合いを増す等により達成することができる。
【００８９】
最外側不織布２０Ｂの圧縮特性もしなやかさと密接に関連するものである。よって、最外側不織布２０Ｂの圧縮特性は、圧縮硬さＬＣが０．３〜１．０、特に０．５〜０．９であり、且つ圧縮仕事量ＷＣが０．０１〜０．１０、特に０．０１〜０．０７であり、圧縮レジリエンスＲＣが２０〜９０％、特に２５〜７０％であるのが好ましい。このような圧縮硬さＬＣ、圧縮仕事量ＷＣ、圧縮レジリエンスＲＣは、例えば、原料繊維の種類の選択や割合の変更、目付や厚みを減らす等により達成することができる。
【００９０】
最外側不織布２０Ｂは、原料繊維の物質、構造、製法、繊度、繊維長（短繊維、フィラメント）等については、特に限定されない。例えば、原料繊維としては、ポリエチレンやポリプロピレン等のオレフィン系、ポリエステル系、ポリアミド系等の合成繊維、レーヨンやキュプラ等の再生繊維、綿等の天然繊維等から適宜選択でき、また繊維構造としては並列型、芯鞘型等の２層型複合繊維、多層型複合繊維、非複合繊維、混合繊維、分割繊維等から適宜選択することができる。さらに、製法としては、スパンレース法、スパンボンド法、サーマルボンド法、メルトブローン法、ニードルパンチ法、エアスルー法、ポイントボンド法等、公知の方法から適宜選択して用いることができる。繊維の繊度や繊維長についても公知の仕様を採用することができるが、繊度は０．７〜３ｄｔｅｘ、特に１〜２．５ｄｔｅｘが好ましい。
【００９１】
（第２実施形態）
次に、支持部材４５に第３係合部４２、第４係合部４３を設ける第２実施形態について説明する。なお、前述した第１実施形態と同一部材には同一符号を付し重複した説明は省略する。
図９、図１０に示すように、本発明の第２実施形態は、第１支持部材４５ａの内面の固着部４６より離れた遠位部には、幅方向外側縁に沿って縦方向に延びる第３係合部４２が取付けられ、幅方向外側縁が波形状に形成された第２支持部材４５ｂの内面の固着部４６の近傍の近位部には、固着部４６に沿って縦方向に延びる第４係合部４３が取付けられている。
【００９２】
使い捨ておむつ１のサイズにより異なるが、通常の大人用の使い捨ておむつ１の場合、支持部材４５は、幅５５〜１１０ｍｍ、縦１７０〜３３０ｍｍの略矩形状であり、支持部材４５の外面の縦方向に延びる幅２〜５ｍｍ、縦１７０〜３３０ｍｍの固着部４６により外装シート２０の上層不織布２０Ａの内面に取付けられている。また、第１支持部材４５ａの第３係合部４２は、幅１０〜２０ｍｍ、縦１５０〜３１０ｍｍの矩形状であり、第２支持部材４５ｂの第４係合部４３は、幅１０〜２０ｍｍ、縦１５０〜３１０ｍｍの矩形状である。
【００９３】
支持部材４５は、固着部４６より幅方向内側に位置する幅方向内側縁が直線状に形成された第１支持部材４５ａの外面及び固着部４６より幅方向外側に位置する幅方向外側縁が波形状に形成された第２支持部材４５ｂの外面は、外装シート２０の上層不織布２０Ａに固着されておらず、第１支持部材４５ａ及び第２支持部材４５ｂは、固着部４６を中心として第１支持部材４５ａの内面及び第２支持部材４５ｂの内面が対向するように内方に折り曲げることができる。
なお、第２実施形態の第２支持部材４５ｂの幅方向外側縁は、波形状に形成されているが、三角形状、台形形状等に形成することもできる。また、最も上側部に位置する波形状を他の波形状に対し幅方向外側に突出した波形状にすることもできる。
【００９４】
第２実施形態においては、支持部材４５の第１支持部材４５ａの幅方向内側縁を直線状に形成し、第２支持部材４５ｂの幅方向外側縁を波形状に形成していることから、使い捨ておむつ１の装着時に第１支持部材４５ａと第２支持部材４５ｂとを容易に引き剥がすことができる。
【００９５】
（第３実施形態）
次に、支持部材４５に第３係合部４２、第４係合部４３を設ける第３実施形態について説明する。なお、前述した第１実施形態と同一部材には同一符号を付し重複した説明は省略する。
図１１、図１２に示すように、本発明の第３実施形態は、幅方向内側縁が波形状に形成された第１支持部材４５ａの内面の固着部４６より離れた遠位部には、幅方向外側縁に沿って縦方向に沿って延びる第３係合部４２が取付けられ、幅方向外側縁が波形状に形成された第２支持部材４５ｂの内面の固着部４６の近傍の近位部には、固着部４６に沿って縦方向に延びる第４係合部４３が取付けられている。
【００９６】
使い捨ておむつ１のサイズにより異なるが、通常の大人用の使い捨ておむつ１の場合、支持部材４５は、幅５５〜１１０ｍｍ、縦１７０〜３３０ｍｍの略矩形状であり、支持部材４５の外面の縦方向に延びる幅２〜５ｍｍ、縦１７０〜３３０ｍｍの固着部４６により外装シート２０の上層不織布２０Ａの内面に取付けられている。また、第１支持部材４５ａの第３係合部４２は、幅１０〜２０ｍｍ、縦１５０〜３１０ｍｍの矩形状であり、第２支持部材４５ｂの第４係合部４３は、幅１０〜２０ｍｍ、縦１５０〜３１０ｍｍの矩形状である。
【００９７】
支持部材４５は、固着部４６より幅方向内側に位置する幅方向内側縁が波状に形成された第１支持部材４５ａの外面及び固着部４６より幅方向外側に位置する幅方向外側縁が波形状に形成された第２支持部材４５ｂの外面は、外装シート２０の上層不織布２０Ａに固着されておらず、第１支持部材４５ａ及び第２支持部材４５ｂは、固着部４６を中心として第１支持部材４５ａの内面及び第２支持部材４５ｂの内面が対向するように内方に折り曲げることができる。
なお、第３実施形態の第１支持部材４５ａの幅方向内側縁は、波形状に形成されているが、三角形状、台形形状等に形成することもできる。また、第２支持部材４５ｂの幅方向外側縁は、波形状に形成されているが、三角形状、台形形状等に形成することもでき、最も上側部に位置する波形状を他の波形状に対し幅方向外側に突出した波形状にすることもできる。
【００９８】
第３実施形態においては、支持部材４５の第１支持部材４５ａの幅方向内側縁を波形状に形成されていることから、使い捨ておむつ１の装着時に外装シート２０の上層不織布２０Ａから支持部材４５を容易に引き起すことができる。
また、第１支持部材４５ａの幅方向内側縁に形成された波形状と第２支持部材４５ｂの幅方向外側縁に形成された波形状が相互に交差していることから、使い捨ておむつ１の装着時に第１支持部材４５ａと第２支持部材４５ｂとを容易に引き剥がすことができる。
【００９９】
（第４実施形態）
次に、支持部材４５に第３係合部４２、第４係合部４３を設ける第４実施形態について説明する。なお、前述した第１実施形態と同一部材には同一符号を付し重複した説明は省略する。
図１３、図１４に示すように、本発明の第４実施形態は、第１支持部材４５ａの内面の固着部４６より離れた遠位部には、幅方向外側縁に沿って縦方向に沿って５個の第３係合部４２ａが取付けられ、第２支持部材４５ｂの内面の固着部４６の近傍の近位部には、固着部４６に沿って縦方向に６個の第４係合部４３ａが取付けられている。
【０１００】
使い捨ておむつ１のサイズにより異なるが、通常の大人用の使い捨ておむつ１の場合、支持部材４５は、幅５５〜１１０ｍｍ、縦１７０〜３３０ｍｍの矩形状であり、支持部材４５の外面の縦方向に延びる幅２〜５ｍｍ、縦１７０〜３３０ｍｍの固着部４６により外装シート２０の上層不織布２０Ａの内面に取付けられている。
【０１０１】
第３係合部４２ａは、幅１０〜２０ｍｍ、縦１８〜３６ｍｍの矩形状が、縦方向に９〜１８ｍｍの間隔で取り付けられ、上側部から３つ目の第３係合部４２ａの縦方向の中心が第１支持部材４５ａの縦方向の中心に位置するように取付けられている。
第４係合部４３ａは、幅１０〜２０ｍｍ、縦１８〜３６ｍｍの矩形状が、縦方向に９〜１８ｍｍの間隔で取り付けられ、上側部から３つ目と４つ目の第４係合部４３ａの縦方向の中心が第２支持部材４５ｂの縦方向の中心に位置するように取付けられている。
【０１０２】
第２支持部材４５ｂの内面に取付けられた上側部から３つ目と４つ目の第４係合部４３ａの間には、第２支持部材４５ｂの外側縁から固着部４６に延在するスリット４９が形成されている。
【０１０３】
スリット４９の形態は、幅方向に平行なスリット４９の形態に限らず、第２支持部材４５ｂの側縁から上側部側に傾斜する形態、湾曲する形態に形成することもでき、さらに、スリット４９の終点を着用者の腰骨、特に、腸骨に対向する位置まで延在して形成するのが好適である。
なお、スリット４９に替えてミシン目を設けても良く、この場合、着用者が使い捨ておむつ１を装着する際に、ミシン目を破断しスリット４９にする。
【０１０４】
第４実施形態においては、重複長さ率は５０％になるように第３係合部４２ａ、第４係合部４３ａが取付けられていることから、外装シート２０の前身頃Ｆと後身頃Ｂを連結させた場合、縦方向及び幅方向に自由に湾曲可能な柔軟性を有する。そのため、着用者が使い捨ておむつ１を股間部に引上げる際に、使い捨ておむつ１を容易に引上げることができ、着用者の太股に連結部２１，２２が擦れた場合であっても着用者の肌への外傷が加わることはない。
【０１０５】
スリット４９の終点を着用者の腸骨に対向する位置まで延在して形成した場合に、概して凹部になっている着用者の腸骨を避け腸骨の上下部で第１係合部４０と第４係合部４３ａをそれぞれ係合できるため、ウエスト部回り及び足回りのフィット性が向上し、細身の着用者であってもフィット性に優れる。
【０１０６】
（第５実施形態）
次に、支持部材４５に第３係合部４２、第４係合部４３を設ける第５実施形態について説明する。なお、前述した第１，４実施形態と同一部材には同一符号を付し重複した説明は省略する。
図１５、図１６に示すように、本発明の第５実施形態は、第１支持部材４５ａの内面の固着部４６より離れた遠位部には、幅方向外側縁に沿って縦方向に沿って５個の第３係合部４２ａが取付けられ、幅方向外側縁が波形状に形成された第２支持部材４５ｂの内面の固着部４６の近傍の近位部には、固着部４６に沿って縦方向に６個の第４係合部４３ａが取付けられている。
【０１０７】
使い捨ておむつ１のサイズにより異なるが、通常の大人用の使い捨ておむつ１の場合、支持部材４５は、幅５５〜１１０ｍｍ、縦１７０〜３３０ｍｍの矩形状であり、支持部材４５の外面の縦方向に延びる幅２〜５ｍｍ、縦１７０〜３３０ｍｍの固着部４６により外装シート２０の上層不織布２０Ａの内面に取付けられている。
【０１０８】
第３係合部４２ａは、幅１０〜２０ｍｍ、縦１８〜３６ｍｍの矩形状が、縦方向に９〜１８ｍｍの間隔で取り付けられ、第４係合部４３ａは、幅１０〜２０ｍｍ、縦１８〜３６ｍｍの矩形状が、縦方向に９〜１８ｍｍの間隔で取り付けられ、第２支持部材４５ｂの内面に取付けられた上側部から３つ目と４つ目の第４係合部４３ａの間には、第２支持部材４５ｂの外側縁から固着部４６に延在するスリット４９が形成されている。
なお、第２支持部材４５ｂを第１支持部材４５ａから容易に引き剥がすために、第４係合部４３ａは、第２支持部材４５ｂの幅方向外側縁に向かい突出する波形に対向する位置に設けるのが好適である。
【０１０９】
支持部材４５は、固着部４６より幅方向内側に位置する幅方向内側縁が直線状に形成された第１支持部材４５ａの外面及び固着部４６より幅方向外側に位置する幅方向外側縁が波形状に形成された第２支持部材４５ｂの外面は、外装シート２０の上層不織布２０Ａに固着されておらず、第１支持部材４５ａ及び第２支持部材４５ｂは、固着部４６を中心として第１支持部材４５ａの内面及び第２支持部材４５ｂの内面が対向するように内方に折り曲げることができる。
なお、第５実施形態の第１支持部材４５ａの幅方向内側縁を第３実施形態と同様に波形状に形成することもできる。
また、第５実施形態の第２支持部材４５ｂの幅方向外側縁は、波形状に形成されているが、三角形状、台形形状等に形成することもでき、最も上側部に位置する波形状を他の波形状に対し幅方向外側に突出した波形状にすることもできる。
【０１１０】
第５実施形態においては、重複長さ率は５０％になるように第３係合部４２ａ、第４係合部４３ａが取付けられていることから、外装シート２０の前身頃Ｆと後身頃Ｂを連結させた場合、縦方向及び幅方向に自由に湾曲可能な柔軟性を有する。そのため、着用者が使い捨ておむつ１を股間部に引上げる際に、使い捨ておむつ１を容易に引上げることができ、着用者の太股に連結部２１，２２が擦れた場合であっても着用者の肌への外傷が加わることはない。
【０１１１】
スリット４９の終点を着用者の腸骨に対向する位置まで延在して形成した場合に、概して凹部になっている着用者の腸骨を避け腸骨の上下部で第１係合部４０と第４係合部４３ａをそれぞれ係合できるため、ウエスト部回り及び足回りのフィット性が向上し、細身の着用者であってもフィット性に優れる。
【０１１２】
支持部材４５の第１支持部材４５ａの幅方向内側縁を直線状に形成し、第２支持部材４５ｂの幅方向外側縁を波形状に形成していることから、使い捨ておむつ１の装着時に第１支持部材４５ａと第２支持部材４５ｂとを容易に引き剥がすことができる。
【０１１３】
（第６実施形態）
次に、支持部材４５に第３係合部４２、第４係合部４３を設ける第６実施形態について説明する。なお、前述した第１実施形態と同一部材には同一符号を付し重複した説明は省略する。
図１７、図１８に示すように、本発明の第６実施形態は、第１支持部材４５ａの内面の固着部４６より離れた遠位部には、幅方向外側縁に沿って縦方向に沿って５個の第３係合部４２ｂが取付けられ、第２支持部材４５ｂの内面の固着部４６の近傍の近位部には、固着部４６に沿って縦方向に６個の第４係合部４３ｂが取付けられている。
【０１１４】
使い捨ておむつ１のサイズにより異なるが、通常の大人用の使い捨ておむつ１の場合、支持部材４５は、幅５５〜１１０ｍｍ、縦１７０〜３３０ｍｍの矩形状であり、支持部材４５の外面の縦方向に延びる幅２〜５ｍｍ、縦１７０〜３３０ｍｍの固着部４６により外装シート２０の上層不織布２０Ａの内面に取付けられている。
【０１１５】
第３係合部４２ｂは、幅１０〜２０ｍｍ、縦１４〜２６ｍｍの矩形状が、縦方向に１６〜３０ｍｍに取付けられ、上側部から３つ目の第３係合部４２ｂの縦方向の中心が第１支持部材４５ａの縦方向の中心に位置するように取付けられている。
第４係合部４３ｂは、幅１０〜２０ｍｍ、縦１４〜２６ｍｍの矩形状が、縦方向に１６〜３０ｍｍに取付けられ、上側部から３つ目と４つ目の第４係合部４３ｂの縦方向の中心が第２支持部材４５ｂの縦方向の中心に位置するように取付けられている。
【０１１６】
第２支持部材４５ｂの内面に取付けられた上側部から３つ目と４つ目の第４係合部４３ｂの間には、第２支持部材４５ｂの外側縁から固着部４６に延在するスリット４９が形成されている。
【０１１７】
スリット４９の形態は、幅方向に平行なスリット４９の形態に限らず、第２支持部材４５ｂの側縁から上側部側に傾斜する形態、湾曲する形態に形成することもでき、さらに、スリット４９の終点を着用者の腰骨、特に、腸骨に対向する位置まで延在して形成するのが好適である。
なお、スリット４９に替えてミシン目を設けても良く、この場合、着用者が使い捨ておむつ１を装着する際に、ミシン目を破断しスリット４９にする。
【０１１８】
第６実施形態に合っては、重複長さ率は０％になるように第３係合部４２ｂ、第４係合部４３ｂが取付けられていることから、外装シート２０の前身頃Ｆと後身頃Ｂを連結させた場合、縦方向及び幅方向に自由に湾曲可能な柔軟性を有する。そのため、着用者が使い捨ておむつ１を股間部に引上げる際に、使い捨ておむつ１を容易に引上げることができ、着用者の太股に連結部２１，２２が擦れた場合であっても着用者の肌への外傷が加わることはなく、使い捨ておむつ１を着用者のウエスト部回り、足回りにフィットさせることができる。
【０１１９】
スリット４９の終点を着用者の腸骨に対向する位置まで延在して形成した場合に、概して凹部になっている着用者の腸骨を避け腸骨の上下部で第１係合部４０と第４係合部４３ｂをそれぞれ係合できるため、ウエスト部回り及び足回りのフィット性が向上し、細身の着用者であってもフィット性に優れる。
【０１２０】
（第７実施形態）
次に、支持部材４５に第３係合部４２、第４係合部４３を設ける第７実施形態について説明する。なお、前述した第１，６実施形態と同一部材には同一符号を付し重複した説明は省略する。
図１９、図２０に示すように、本発明の第７実施形態は、第１支持部材４５ａの内面の固着部４６より離れた遠位部には、幅方向外側縁に沿って縦方向に沿って５個の第３係合部４２ｂが取付けられ、幅方向外側縁が波形状に形成された第２支持部材４５ｂの内面の固着部４６の近傍の近位部には、固着部４６に沿って縦方向に６個の第４係合部４３ｂが取付けられている。
【０１２１】
使い捨ておむつ１のサイズにより異なるが、通常の大人用の使い捨ておむつ１の場合、支持部材４５は、幅５５〜１１０ｍｍ、縦１７０〜３３０ｍｍの矩形状であり、支持部材４５の外面の縦方向に延びる幅２〜５ｍｍ、縦１７０〜３３０ｍｍの固着部４６により外装シート２０の上層不織布２０Ａの内面に取付けられている。
【０１２２】
第３係合部４２ｂは、幅１０〜２０ｍｍ、縦１４〜２６ｍｍの矩形状が、縦方向に１６〜３０ｍｍに取付けられ、第４係合部４３ｂは、幅１０〜２０ｍｍ、縦１４〜２６ｍｍの矩形状が、縦方向に１６〜３０ｍｍに取付けられ、第２支持部材４５ｂの内面に取付けられた上側部から３つ目と４つ目の第４係合部４３ｂの間には、第２支持部材４５ｂの外側縁から固着部４６に延在するスリット４９が形成されている。
なお、第２支持部材４５ｂを第１支持部材４５ａから容易に引き剥がすために、第４係合部４３ｂは、第２支持部材４５ｂの幅方向外側縁に向かい突出する波形に対向する位置に設けるのが好適である。
【０１２３】
支持部材４５は、固着部４６より幅方向内側に位置する幅方向内側縁が直線状に形成された第１支持部材４５ａの外面及び固着部４６より幅方向外側に位置する幅方向外側縁が波形状に形成された第２支持部材４５ｂの外面は、外装シート２０の上層不織布２０Ａに固着されておらず、第１支持部材４５ａ及び第２支持部材４５ｂは、固着部４６を中心として第１支持部材４５ａの内面及び第２支持部材４５ｂの内面が対向するように内方に折り曲げることができる。
なお、第７実施形態の第１支持部材４５ａの幅方向内側縁を第３実施形態と同様に波形状に形成することもできる。
また、第７実施形態の第２支持部材４５ｂの幅方向外側縁は、波形状に形成されているが、三角形状、台形形状等に形成することもでき、最も上側部に位置する波形状を他の波形状に対し幅方向外側に突出した波形状にすることもできる。
【０１２４】
第７実施形態に合っては、重複長さ率は０％になるように第３係合部４２ｂ、第４係合部４３ｂが取付けられていることから、外装シート２０の前身頃Ｆと後身頃Ｂを連結させた場合、縦方向及び幅方向に自由に湾曲可能な柔軟性を有する。そのため、着用者が使い捨ておむつ１を股間部に引上げる際に、使い捨ておむつ１を容易に引上げることができ、着用者の太股に連結部２１，２２が擦れた場合であっても着用者の肌への外傷が加わることはなく、使い捨ておむつ１を着用者のウエスト部回り、足回りにフィットさせることができる。
【０１２５】
スリット４９の終点を着用者の腸骨に対向する位置まで延在して形成した場合に、概して凹部になっている着用者の腸骨を避け腸骨の上下部で第１係合部４０と第４係合部４３ｂをそれぞれ係合できるため、ウエスト部回り及び足回りのフィット性が向上し、細身の着用者であってもフィット性に優れる。
【０１２６】
支持部材４５の第１支持部材４５ａの幅方向内側縁を直線状に形成し、第２支持部材４５ｂの幅方向外側縁を波形状に形成していることから、使い捨ておむつ１の装着時に第１支持部材４５ａと第２支持部材４５ｂとを容易に引き剥がすことができる。
【産業上の利用可能性】
【０１２７】
本発明は、使い捨ておむつにおいて利用できるものである。
【符号の説明】
【０１２８】
１      使い捨ておむつ
１０      内装体
１１      液透過性表面シート
１２      液不透過性裏面側シート
１３      吸収体
１４      包装シート
１５      ギャザー不織布
２０      外装シート
２１      連結側部
２２      連結側部
２４      ウエスト部弾性部材
２５      腰回り弾性部材
２６      背側湾曲弾性部材
２８      腹側湾曲弾性部材
４０      第１係合部
４１      第２係合部
４２      第３係合部
４３      第４係合部
４５      支持部材
４５ａ    第１支持部材
４５ｂ    第２支持部材
４６      固着部
４９      スリット（ミシン目）
５０      前押えシート
６０      後押えシート
Ｆ      前身頃
Ｂ      後身頃
【図１】
2014237056.tif 000003
【図２】
2014237056.tif 000004
【図３】
2014237056.tif 000005
【図４】
2014237056.tif 000006
【図５】
2014237056.tif 000007
【図６】
2014237056.tif 000008
【図７】
2014237056.tif 000009
【図８】
2014237056.tif 000010
【図９】
2014237056.tif 000011
【図１０】
2014237056.tif 000012
【図１１】
2014237056.tif 000013
【図１２】
2014237056.tif 000014
【図１３】
2014237056.tif 000015
【図１４】
2014237056.tif 000016
【図１５】
2014237056.tif 000017
【図１６】
2014237056.tif 000018
【図１７】
2014237056.tif 000019
【図１８】
2014237056.tif 000020
【図１９】
2014237056.tif 000021
【図２０】
2014237056.tif 000022
【図２１】
2014237056.tif 000023
【図２２】
2014237056.tif 000024
【図２３】
2014237056.tif 000025